(57)【要約】【課題】ＲＦＩＤタグを付された紙葉類を１枚１枚計数して、迅速確実にＲＦＩＤタグ情報を読み出しできる枚葉計数機、それを組み込んだ販売端末装置、及びそれに適した計数方法を提供する。【解決手段】枚葉計数機３の機体内、前面１ａ側に第１、第２の集積部２３，２４を配設し、繰り出し機構２６に続く搬送通路域２９ａに計数部３３を配置し、搬送通路域２９ａに後続する搬送通路域２９ｂ、２９ｃに設けられ搬送されてくるチケットＴに付されたＲＦＩＤタグと搬送途中で通信するＲＦＩＤタグＲ／Ｗ３５Ａ，３５Ｂと、搬送通路域２９ｃ直後に設けられ第２の集積部２４へ収納すべき異常チケットＴ’を分岐する分岐部３４と、正常チケットＴを収容する第１の集積部２３とを具備する。【選択図】図４
2009042953.tif 000002
【特許請求の範囲】
【請求項１】
識別計数されるＲＦＩＤタグを付された紙葉類を１枚ずつ繰り出す繰り出し機構と、
前記繰り出される紙葉類を計数するための計数センサと、
前記繰り出される紙葉類に付された前記ＲＦＩＤタグに記録されたＲＦＩＤタグ情報を読み取るタグ・リーダと、
を備えることを特徴とする枚葉計数機。
【請求項２】
識別計数されるＲＦＩＤタグを付された紙葉類が重積状態で装填されるとともに、前記装填された紙葉類を１枚ずつ分離して繰り出す繰り出し機構を有する装填部と、
前記装填部から繰り出される前記紙葉類を搬送する搬送通路と、
該搬送通路に設けられた前記紙葉類を１枚ずつ計数するための計数センサと、
前記搬送通路に設けられ、前記ＲＦＩＤタグと通信する通信手段と、
前記装填部の下方位置で、前記搬送通路で搬送された前記紙葉類を集積するとともにその紙葉類を機体前面から取り出し可能とされた集積部と、
計数結果を表示する表示部と、
計数処理を制御する制御部と、を備え、
前記制御部は、
前記計数センサからの信号にもとづき計数した計数枚数の結果と、前記通信手段が前記ＲＦＩＤタグと通信した結果にもとづく計数枚数の結果を前記表示部に表示することを特徴とする枚葉計数機。
【請求項３】
前記制御部は、
更に、前記紙葉類が真正なものあることを示す真正識別情報を取得する真正識別情報取得手段を有し、
前記通信手段が前記ＲＦＩＤタグと通信した結果、少なくとも、通信不能な前記ＲＦＩＤタグ又は前記真正識別情報を含まない前記ＲＦＩＤタグを付された前記紙葉類を異常紙葉類として他の前記紙葉類と区別して前記前記集積部に集積するとともに、
前記異常紙葉類を除いた前記他の紙葉類の枚数を計数することを特徴とする請求項２に記載の枚葉計数機。
【請求項４】
前記制御部は、
前記異常紙葉類と区別されたものについて、少なくとも前記「通信不能」、前記「真正識別情報を含まない」の分類をして、前記表示部に計数結果を表示させることを特徴とする請求項３に記載の枚葉計数機。
【請求項５】
前記制御部は、
更に、前記紙葉類の種別と枚数を含む計数指示情報を取得する計数指示取得手段を備え、
前記取得された計数指示情報にもとづき、前記通信手段によって前記ＲＦＩＤタグ情報から前記計数指示情報の指示する種別か否かを確認し、所定枚数だけ計数して前記集積部に集積することを特徴とする請求項３又は請求項４に記載の枚葉計数機。
【請求項６】
前記制御部は、
更に、販売店情報を含む販売情報を取得する販売情報取得手段を有し、
前記通信手段によって前記異常紙葉類と区別されなかった前記他の紙葉類に付されたＲＦＩＤタグに対して、前記通信手段に前記販売情報を書き込ませ、かつ、書き込みできたことを確認したものを、販売可能な紙葉類として枚数を計数して前記集積部に集積することを特徴とする請求項３から請求項５のいずれか１項に記載の枚葉計数機。
【請求項７】
識別計数されるＲＦＩＤタグを付された紙葉類を計数する請求項６に記載の枚葉計数機と、
紙葉類の枚数を入力する入力装置と、
前記紙葉類の種別を示す種別情報、及び前記紙葉類が真正なものであることを示す真正識別情報を記憶する記憶部と、
前記紙葉類の種別と、入力された枚数を表示する表示装置と、
前記枚葉計数機と通信可能に接続し、前記枚葉計数機の計数処理を制御する端末本体と、を備える販売端末装置であって、
前記端末本体は、
前記表示装置の表示画面に表示された前記紙葉類の種別の中から該当する種別の選択と、枚数の入力を可能とする計数指示情報入力手段と、
前記計数指示情報を前記枚葉計数機に出力する計数指示情報出力手段と、を有し、
前記紙葉類の選択された種別に対応して前記記憶部から前記真正識別情報を読み出し、前記計数指示情報とともに前記枚葉計数機に出力し、
前記枚葉計数機に、前記選択された種別の前記紙葉類を前記入力された枚数分だけ、前記紙葉類に付されたＲＦＩＤタグに対して前記真正識別情報を含んでいるかをチェックさせて計数させることを特徴とする販売端末装置。
【請求項８】
識別計数されるＲＦＩＤタグを付された紙葉類を計数する枚葉計数機における計数方法であって、
制御部は、
前記紙葉類を１枚ずつ繰り出し機構により繰り出された紙葉類を計数センサからの検出信号にもとづいて1枚ずつ計数する工程と、
前記タグ・リーダが前記紙葉類に付されたＲＦＩＤタグから読み取った前記ＲＦＩＤタグ情報にもとづいて1枚ずつ計数する工程と、
前記計数センサからの検出信号にもとづく計数結果と前記タグ・リーダが読み取った前記ＲＦＩＤタグ情報にもとづく計数結果とを比較する工程とを有することを特徴とする枚葉計数機における計数方法。
【発明の詳細な説明】
【技術分野】
【０００１】
本発明は紙葉類に対する枚葉計数機に係り、特にＲＦＩＤ（Radio Frequency Identification）タグを付した紙葉類、例えば、紙幣、紙幣型チケット、カード型チケットの枚葉計数機、それを含む販売端末装置、及び計数方法に関する。
【背景技術】
【０００２】
例えば、催しもの用のチケット等において、偽造チケット防止のためや、入場者の傾向分析のためＰＯＳ（Point of Sales）情報を記録するために、チケットに貼付したり、漉き込んだりしてＲＦＩＤタグを付すようになってきた。そしてこのようなＲＦＩＤタグ付きチケットを、枚数を纏めて扱う販売業者等においては、チケットの枚数を高速で確実に計数し、チケットのＲＦＩＤタグ情報を読み出したり、お客に手交するチケットにＰＯＳ情報を書き込んだりする必要がある。
類似の計数機としては、特許文献１に記載されているような紙幣を１枚１枚高速に識別して分類計数する卓上設置型の紙幣計数分類機が知られている。
【特許文献１】特開２００３−２２３６６２号公報
【発明の開示】
【発明が解決しようとする課題】
【０００３】
しかしながら、前記紙幣計数分類機は、紙幣を高速で識別して計数するものであり、ＲＦＩＤタグ付きの紙葉類を、確実にＲＦＩＤタグ情報を読み出したり、書き込んだりして計数するものではない。
また、ＲＦＩＤタグ付きチケットやカード等を重積状態で、ＲＦＩＤタグ・リーダ・ライタ（以下、ＲＦＩＤタグＲ／Ｗと称する）によりＲＦＩＤタグ情報を読み出したり、書き込みをしたりすると、読み落としや、書き込み失敗が生じたり、また、読み落としや書込み失敗が発生しても確認できない問題があった。
【０００４】
本発明の目的は、前記した課題を解決するために、ＲＦＩＤタグを付された紙葉類を１枚１枚計数して、迅速確実にＲＦＩＤタグ情報を読み出しできる枚葉計数機、それを組み込んだ販売端末装置、及びそれに適した計数方法を提供することにある。
【課題を解決するための手段】
【０００５】
前記課題を解決するために、第１の発明は、識別計数されるＲＦＩＤタグを付された紙葉類を１枚ずつ繰り出す繰り出し機構と、繰り出される紙葉類を計数するための計数センサと、繰り出される紙葉類に付されたＲＦＩＤタグに記録されたＲＦＩＤタグ情報を読み取るタグ・リーダと、を備えることを特徴とする。
【０００６】
第１の発明によれば、１枚ずつ紙葉類が繰り出され、タグ・リーダは繰り出された１枚の紙葉類に付されたＲＦＩＤタグのＲＦＩＤタグ情報を読み出すので、他のＲＦＩＤタグと合わせた複数のＲＦＩＤタグの同時読み取りとはならないで、ＲＦＩＤタグ情報の読み取りが確実に行える。
ちなみに、計数センサで計数された紙葉類の枚数と、タグ・リーダに読み取られた紙葉類の枚数を比較し、チェックしても良い。
【０００７】
第２の発明は、識別計数されるＲＦＩＤタグを付された紙葉類が重積状態で装填されるとともに、装填された紙葉類を１枚ずつ分離して繰り出す繰り出し機構を有する装填部と、装填部から繰り出される紙葉類を搬送する搬送通路と、搬送通路に設けられた紙葉類を１枚ずつ計数するための計数センサと、搬送通路に設けられ、ＲＦＩＤタグと通信する通信手段と、装填部の下方位置で、搬送通路で搬送された紙葉類を集積するとともにその紙葉類を機体前面から取り出し可能とされた集積部と、計数結果を表示する表示部と、計数処理を制御する制御部と、を備え、制御部は、計数センサからの信号にもとづき計数した計数枚数の結果と、通信手段がＲＦＩＤタグと通信した結果にもとづく計数枚数の結果を表示部に表示することを特徴とする。
【０００８】
第２の発明によれば、搬送通路には１枚ずつに分離されて紙葉類が送り込まれ、通信手段は搬送通路に送られた１枚の紙葉類に付されたＲＦＩＤタグと通信するので、他のＲＦＩＤタグとの同時読み取り、同時書き込みとはならないで、ＲＦＩＤタグ情報の読み取り、書き込みが確実に行える。
本発明は、第１の発明又は第２の発明の枚葉計数機を用い、紙葉類の枚数を入力する入力装置と、紙葉類の種別と、入力された枚数を表示する表示装置と、枚葉計数機と通信可能に接続し、枚葉計数機の計数処理を制御する端末本体と、を備える販売端末装置販売端末装置、及びそれらに用いられる計数方法を含む。
【発明の効果】
【０００９】
本発明によれば、ＲＦＩＤタグを付された紙葉類を１枚１枚計数して、迅速確実にＲＦＩＤタグ情報を読み出しできる枚葉計数機及びそれを組み込んだ販売端末装置が提供できる。
【発明を実施するための最良の形態】
【００１０】
以下、本発明の実施の形態を、図面を参照しながら説明する。
《販売端末装置の全体構成》
ここでは、チケット発売元からチケット販売の委託を受けて、大量のチケットを販売する販売代理店におけるチケット販売とか、団体旅行取り扱い業者が販売代理店で団体分のチケットクーポンを購入して、チケット販売窓口において、団体分のチケットの実際の引渡しを受けるとかの場合を例に説明する。
【００１１】
図１の（ａ）は本発明の実施の形態に係わる販売端末装置を示す図であり、（ｂ）はＲＦＩＤ付きの紙幣型チケットの構成図である。図２は販売端末装置の構成図である。
ＲＦＩＤタグ７を付されたチケット（紙葉類）Ｔ、例えば、紙幣型のチケット、カードチケットを販売したり、計数したりするための販売端末装置１は、チケットＴを計数する枚葉計数機３と、キーボード４ａやマウス４ｂ等の入力装置４と、端末本体５と、主表示部６ａ及び副表示部６ｂを有する表示装置６と、プリンタ８と、を含んで構成されている。
端末本体５は、枚葉計数機３、入力装置４、表示装置６、及びプリンタ８と、接続している。
端末本体５は、ネットワーク２（図２参照）を介して、チケット発売元の本部のサーバ９（図２参照）と通信可能に接続している。図１では、無線ＬＡＮによりネットワーク2と接続している。
【００１２】
枚葉計数機３は、図１の（ａ）に示すように、機体の上部パネルの前面側に操作部２１とチケットＴを重積状態で装填する装填部２２を備えている。装填部２２には、チケットＴの長手方向両端位置を揃える左右に移動可能なガイド板２２ａが設けられている。更に、装填部２２の機体表面にはマーカ２２ｂが描かれ、後記する第１及び第２のＲＦＩＤタグＲ／Ｗ３５Ａ、３５ＢのＲＦＩＤタグ７と通信するアンテナの後記する搬送通路２９（図４参照、図４中搬送通路域２９ａ〜２９ｆで表示し、搬送通路２９はその全体の総称）の幅横方向の位置を示し、チケットＴに付されたＲＦＩＤタグ７の位置をこのマーカ２２ｂに合わせてガイド板２２ａの位置を設定できるようになっている。
また、枚葉計数機３の機体の前面には、計数されたチケットＴを集積する第１の集積部２３、異常と判定された異常チケットＴ’を集積する第２の集積部２４が、チケットＴ又は異常チケットＴ’を取り出し可能に設けられている。第１の集積部２３、第２の集積部２４の右側にはそれぞれ計数結果を表示する表示部２５ａ、２５ｂが設けられている。
【００１３】
表示装置６は、操作者が使用する、例えば、液晶表示装置から構成された主表示部６ａと、主表示部６ａに表示された情報の内、お客に提示する内容のみを表示する小型の、例えば、液晶表示装置で構成された副表示部６ｂとから構成されている。
枚葉計数機３の装填部２２に重積するチケットＴは、図１の（ｂ）に示すような横長の紙幣型のチケットであり、チケットの表面にはＲＦＩＤタグ７が貼付されている。
ちなみに、ＲＦＩＤタグ７は、例えば、約０．４ｍｍサイズのＩＣチップ７ａの図示しないアンテナ端子と、アンテナ７ｂとを接続したインレットタイプのものである。ＲＦＩＤタグ７は、前記のように表面から貼付されたものでも良いし、チケットの表紙と裏紙の間に挿入されチケット表面になされた印刷によりその存在が分かりにくくされたものでも良い。
【００１４】
図２に示すように販売端末装置１の端末本体５は、所謂パーソナルコンピュータであって、ＣＰＵ５ａがバス５ｂに接続し、バス５ｂにＲＯＭ５ｃ，ＲＡＭ５ｄ、記憶部５ｅ、通信部５ｆ、Ｉ／Ｏインターフェース５ｇ、ネットワーク通信部５ｈが接続している。ＲＯＭ５ｃには、販売端末装置１としての機能をＣＰＵ５ａにより実現させるためのアプリケーションプログラムが記憶されている。ＣＰＵ５ａは、Ｉ／Ｏインターフェース５ｇを介して、入力装置４、表示装置６、プリンタ８と接続し、通信部５ｆと枚葉計数機３の通信部３２を介して枚葉計数機３の制御部３１と接続している。更にＣＰＵ５ａは、ネットワーク通信部５ｈを介して、ネットワーク２経由でチケットＴの発売元のサーバ９と通信可能となっている。
【００１５】
（ＲＦＩＤタグ情報）
図３は、チケットに付されたＲＦＩＤタグに記録されるＲＦＩＤタグ情報の例を説明する図である。
ＲＦＩＤタグ情報４０には、ＲＦＩＤタグ７を個別に識別するために製造時に書き換え不能の領域に記録されたＲＦＩＤタグ識別情報４１があり、その一部の桁の情報が識別符号（真正識別情報）４１ａとして真偽判定に使われ、残りの桁の情報がシリアル番号４１ｂとして使われる。
【００１６】
そして、その他に、ＲＦＩＤタグ７に書き込み可能な情報エリアがあり、チケットＴとして印刷された後に、販売チケットＴの種別を識別するためにチケット発売元の管理下でＲＦＩＤタグ７に記録されたチケット種別を示す券種別情報４２が登録でき、更に、チケット販売末端において販売管理情報（以下、ＰＯＳ（Point Of Sales）情報と称する）４３を記録できるようになっている。ＰＯＳ情報４３としては、例えば、チケットＴの販売末端の窓口でＲＦＩＤタグＲ／Ｗを用いてＲＦＩＤタグ７に記録する販売店コード等の販売店情報４３ａ、販売日時情報４３ｂが含まれる。
なお、ＲＦＩＤタグ識別情報４１、券種別情報４２、販売店情報４３ａ、販売日時情報４３ｂはそれぞれ先頭に情報の種類を判別させるための識別子が付されており、それらがＲＦＩＤタグ情報４０として読み出された場合に、その後の処理が容易にできるようになっている。
【００１７】
なお、券種別情報４２のエリアは、チケット発売元でしか書き込めないようになっており、販売末端の窓口では、ＲＦＩＤタグ識別情報４１、券種別情報４２のエリアは読み出し可能であるが、書き込みはできないようになっている。
【００１８】
《枚葉計数機の詳細な説明》
（枚葉計数機の機械構造）
次に枚葉計数機３の詳細な構成とその動作について図４及び図５（適宜、図１、図２参照）を参照しながら説明する。図４の（ａ）は、本実施の形態における卓上設置型の枚葉計数機の内部構造を示す略示左側断面図であり、（ｂ）は同前面図である。図５は、枚葉計数機の制御回路の構成図である。
枚葉計数機３の機体上部に前面３ａ側から計数処理すべきチケットＴを重積状態で載置装填することができる装填部２２が備えられ、この装填部２２にはチケットＴの横長方向の両端を整えて重積しやすくする左右に移動可能なガイド板２２ａ（図１参照）と、「この部分にＲＦＩＤタグを合わせる」との注書とともに装填部２２におけるＲＦＩＤタグ７の横幅方向の位置を指定するマーカ２２ｂ（図１参照）と、が設けられている。
【００１９】
図４の（ａ）に示すように、この装填部２２の載置台２２ｃの下部には該載置台２２ｃ上に積載されたチケットＴの最下位のチケットＴを枚葉計数機３の前面３ａ側から背面３ｂ側へ向けて繰り出すキッカローラ２６ａ及びフィードローラ２６ｂを有する繰り出し機構２６が設けられている。キッカローラ２６ａ及びフィードローラ２６ｂは周面の一部がゴム等の高摩擦材で構成され、他の周面はスリップしやすい金属面とされており、いずれもステッピングモータＭ１（図５参照）により同期駆動され、後記する搬送通路域２９ａの途中に配設されるチケットＴの計数を行う計数部３３の計数センサＳ１，Ｓ２（図４の（ａ）中では、計数センサＳ１は発光素子Ｓ１ａ、受光素子Ｓ１ｂのセットで、計数センサＳ２は発光素子Ｓ２ａ、受光素子Ｓ２ｂのセットで表示）及び検出センサＳ５，Ｓ６による検出信号にもとづいて駆動、停止が制御される。
【００２０】
ちなみに、発光素子Ｓ１ａは、例えば、ＬＥＤ等の発光素子であり、受光素子Ｓ１ｂはフォトトランジスタ等の受光素子である。受光素子Ｓ１ｂは発光素子Ｓ１ａからの光を検出しているときはオン信号を、光を検出しないときはオフ信号を制御部３１に出力する。
他の計数センサＳ２における発光素子Ｓ２ａ及び受光素子Ｓ２ｂのセットや、後記する検出センサＳ３、Ｓ４、Ｓ５、Ｓ６における発光素子Ｓ３ａ及び受光素子Ｓ３ｂのセット、発光素子Ｓ４ａ及び受光素子Ｓ４ｂのセット、発光素子Ｓ５ａ及び受光素子Ｓ５ｂのセット、発光素子Ｓ６ａ及び受光素子Ｓ６ｂのセットも前記した発光素子Ｓ１ａ及び受光素子Ｓ１ｂのセットと同様の構成である。
【００２１】
前記フィードローラ２６ｂの上部には、フィードローラ２６ｂとの間で装填部２２から繰り出されるチケットＴを１枚に分離して送り出すためのゲート部２７を構成するゲート部材２７ａ（逆転ローラ）が設けられ、ゲート部２７の直後にはゲート部２７を通過したチケットＴを送り出す搬送ローラ２８が設けられている。これら各ローラ２６ａ，２６ｂ，２７ａ，２８はこれらの軸線方向（チケットＴの搬送幅方向でチケットＴの長手方向）にそれぞれ一対設けられている。なかでもローラ２６ｂはローラ２７ａ，２８より幅広とされ、両ローラ２７ａ，２８に対向している。
【００２２】
前記装填部２２に続いて、装填部２２から繰り出されたチケットＴを搬送する搬送通路２９（図４の（ａ）では、搬送通路域２９ａ〜２９ｆで表示し、搬送通路２９はその総称である）が配設されている。この搬送通路２９は、搬送通路域２９ａ〜２９ｄまでは、ローラ窓を有する２枚の搬送ガイド板に、搬送ガイド板の両側からローラ窓の位置にローラを配するローラ構造であり、枚葉計数機３の背面３ｂの内面にそって下方へ向かい、途中に計数部３３を有する搬送通路域２９ａと、この搬送通路域２９ａに続いて設けられ、チケットＴに付されたＲＦＩＤタグ７のＲＦＩＤタグ情報を読み出す搬送通路域２９ｂと、ＲＦＩＤタグ７にＰＯＳ情報を書き込む搬送通路域２９ｃを備えている。前記搬送通路域２９ａはローラ２６ｂ，２７の位置からローラ２９ａ１，２９ａ２までであり、搬送通路域２９ｂはローラ２９ａ１，２９ａ２の位置からローラ２９ｂ１，２９ｂ２までであり、搬送通路域２９ｃはローラ２９ｂ１，２９ｂ２の位置から後記する分岐爪３４ａまでである。
【００２３】
搬送通路域２９ｂには、ＲＦＩＤタグＲ／Ｗ３５Ａが配され、その上流側と下流側には検出センサＳ３（発光素子Ｓ３ａと受光素子Ｓ３ｂで構成）と、検出センサＳ４（発光素子Ｓ４ａと受光素子Ｓ４ｂで構成）が配されている。また、搬送通路域２９ｃには、ＲＦＩＤタグＲ／Ｗ３５Ｂが配され、その上流側と下流側には検出センサＳ５（発光素子Ｓ５ａと受光素子Ｓ５ｂで構成）と、検出センサＳ６（発光素子Ｓ６ａと受光素子Ｓ６ｂで構成）が配されている。搬送通路域２９ｂは、ＲＦＩＤタグＲ／Ｗ３５ＡのアンテナがチケットＴに付されたＲＦＩＤタグ７と通信可能なように、搬送ガイド板に窓が開けられている。搬送通路域２９ｃもＲＦＩＤタグＲ／Ｗ３５ＢのアンテナがチケットＴに付されたＲＦＩＤタグ７と通信可能なように、同様に窓が開けられている。  搬送通路域２９ａ〜２９ｆを構成する搬送ガイド板が薄い、樹脂板のときは、電波も透過するので、前記したＲＦＩＤタグＲ／Ｗ３５Ａ，３５Ｂのアンテナ窓を搬送ガイド板に設ける必要は無い。
【００２４】
前記搬送通路域２９ｃの直後には、搬送通路域２９ｃにそのまま続く搬送通路域２９ｄと、前記第２の集積部２４へ至る搬送通路域２９ｅとの間で、進路を切り換える分岐部３４が設けられ、この分岐部３４には分岐爪３４ａが軸３４ｂにより揺動自在に支持されている。また、前記搬送続通路域２９ｄの後には、チケットＴを第１の集積部２３へ搬送する搬送通路域２９ｆが設けられている。搬送通路域２９ｄに沿っては、その終端までローラ２９ｃ１，２９ｃ２等が配されている。
【００２５】
図４の（ａ）に示すように前記第１の集積部２３は、チケットＴが立位姿勢で集積されるようになっている。すなわちこの第１の集積部２３に至る搬送通路域２９ｆの終端位置には羽根車３６が設けられ、この羽根車３６の羽根間にチケットＴを１枚ずつ受け入れて第１の集積部２３の櫛歯状の底部２３ｂでチケットＴをしごき残して、図示しないバネにより羽根車３６へ向けて付勢されているＬ形状の立壁２３ｃと羽根車３６との間の底部２３ｂ上に順次立位姿勢でチケットＴを集積させるようになっている。
【００２６】
底部２３ｂは下側から枠体２３ｄに支持され、立壁２３ｃは底部２３ｂに前後方向に移動可能に取り付けられている。枠体２３ｄは図示しない左右の支持壁を有し、その支持壁で羽根車３６を軸支し、かつ、ソレノイド等の移動機構３７により羽根車３６、底部２３ｂ、及び立壁２３ｃを、一体に左右方向に、例えば、１ｃｍ程移動可能になっている。
従って、羽根車３６の軸方向の幅は、チケットＴの最大許容幅の左右幅より両側にそれぞれ、例えば、１ｃｍだけ長く、第１の集積部２３もチケットＴの最大許容幅の左右幅より両側にそれぞれ、例えば、１ｃｍだけ長く設定されている。
【００２７】
このような構造とすることにより、制御部３１に制御されて移動機構３７が、第１の集積部２３と羽根車３６を機体の左右に所定距離変位させることができ、第１の集積部２３に送られてきたチケットＴを機体の左右いずれかに変位させて、集積することができる。このとき、羽根車３６の羽根と立壁２３ｃとの間でチケットＴを抑えているので、左右の変位の加速度を適切に設定することで、移動機構３７の左右への変位動作によるチケットＴの左右方向へのずれは防止できる。
【００２８】
前記第２の集積部２４は異常チケットＴ’としてリジェクトされたチケット集積に使用することを主目的としているので、その構造は単純なトレー状のボックスで構成され、この第２の集積部２４に至る搬送通路域２９ｅの終端の下部のプーリー軸３８ａには異常チケットＴ’を第２の集積部２４内へスムーズに送り込むため、羽根付きローラ３８が設けられている。
【００２９】
前記したように、装填部２２の下方位置で、枚葉計数機３の機体の前面３ａ側の内部には、搬送通路域２９ｃから分岐せずにそのまま搬送通路域２９ｄ、搬送通路域２９ｆと続いて枚葉計数機３の前面３ａ側へ搬送されたチケットＴを集積する下位の第１の集積部２３と、搬送通路域２９ｃから分岐して搬送通路域２９ｅと続いて枚葉計数機３の前面３ａ側へ搬送されたチケットＴを集積する上位の第２の集積部２４が配設されている。
下位の第１の集積部２３は正常チケットＴ用として使用し、上位の第２の集積部２４は異常チケットＴ’用として使用する。正常チケットと異常チケットの区別の説明については、計数処理の制御説明の中で行う。
【００３０】
図４の（ａ）において前記搬送通路２９の各部の搬送通路域２９ａ〜２９ｆは、（１）チケットＴを挟持して搬送し得るベルト構造、（２）ベルトとローラによる構造、（３）ローラ窓を有する２枚の搬送ガイド板に、搬送ガイド板の両側からローラ窓の位置にローラを配するローラ構造等、適宜な形態とされ、ローラは搬送幅方向に少なくとも一対のものとして設ける。
【００３１】
また前記したローラ２９ａ１，２９ａ２，２９ｂ１，２９ｂ２，２９ｃ１，２９ｃ２、分岐爪３４ａ、羽根車３６、羽根付きローラ３８も搬送幅方方向に少なくとも一対として設ける。前記搬送通路域２９ａ〜２９ｄにおいて、図示してあるローラ以外に補助のローラを付加しても良い。また、前記したように搬送幅方向に１対配置することに限定されることなく、搬送幅方向の中央にもう一つ追加しても良い。
【００３２】
図４の（ａ）に示すように、枚葉計数機３の下部に、制御部３１が配設されている。そして、図４の（ｂ）に示すように第１、第２の集積部２３，２４の位置に対応する枚葉計数機３の機体の前面３ａには開放状態の方形の開口部２３ａ，２４ａが形成されており、各集積部２３，２４内に集積されたチケットＴ，Ｔ’を枚葉計数機３外に取り出せるようになっている。なお第１、第２の集積部２３，２４に対応して表示部２５ａ，２５ｂが設けられている。
【００３３】
（枚葉計数機の制御回路）
次に、制御部３１の構成について説明する。
制御部３１は、ＣＰＵや、ＲＯＭ、ＲＡＭ、フラッシュメモリ等のメモリや、Ｉ／Ｏインターフェース回路や、後記するステッピングモータＭ１，モータＭ２，ソレノイドＳＤ１，ソレノイドＳＤ２を駆動するための周辺回路からなる。
【００３４】
図５に示すように制御部３１には、通信部５ｆ（図２参照）との通信を送受する通信部３２と、操作部２１と、表示部２５ａ，２５ｂと、計数部３３を構成するセンサ群Ｓ１，Ｓ２と、搬送通路２９の適宜位置に設けられるセンサ群Ｓ３〜Ｓ６と、ＲＦＩＤタグＲ／Ｗ３５Ａ，３５Ｂと、移動機構３７と、繰り出し機構２６駆動用のステッピングモータＭ１と、搬送通路２９に適宜配されたローラ２９ａ１，２９ａ２，２９ｂ１，２９ｂ２，２９ｃ１，２９ｃ２や、第１、第２の集積部２３，２４の羽根車３６、羽根付きローラ３８等を駆動するモータＭ２と、分岐爪３４ａを揺動駆動するソレノイドＳＤ１と、移動機構３７駆動用のソレノイドＳＤ２と、が接続される。
【００３５】
前記操作部２１は、枚葉計数機３の外面に設けられていて操作者が操作するもので、電源のオン、オフボタン操作の外、制御部３１の図示しないＲＯＭに記憶されたプログラムにより計数開始ボタン、計数停止ボタン、又は、このボタンに代え装填部２２に集積チケットＴが装填されることによりチケットＴの自動計数を開始するオフライン・自動スタート設定操作、第１の集積部２３に、例えば、１００枚のチケットＴが計数・集積されると停止するモードであるオフライン・バッチモード、第１の集積部２３が満杯になるまでチケットＴを集積するオフライン・非バッチ計数モード、端末本体５（図２参照）と接続して、端末本体５から計数指示を受けるオンラインモードの設定操作等ができるようになっている。
なお、オンラインモードには、端末本体５からの制御信号による「計数チェック」モードと、「御注文」モードがあるが、詳細は後記する。
以下では、オンラインモードにおける処理について説明する。
【００３６】
《第１の計数処理の例》
次に、図６から図９を参照しながら本実施の形態における枚葉計数機３を用いて、例えば、販売代理店や、チケット発売窓口において、チケットＴを受け入れ検査する場合の第１の計数処理の例について説明する。
ここでは、販売代理店や、チケット発売窓口は、接客時間外に前もって当日又は翌日以降分のチケットＴの準備をすることを想定する。
操作者は端末本体５を起動して、お客の窓口での購入を受け付ける「御注文」モード、チケット受け入れ検査処理の「計数チェック」モードの内の「計数チェック」モードを選ぶ。販売端末装置１はネットワーク２を介してサーバ９（図２参照）と接続している。
【００３７】
図６は端末本体における受け取りチケットの点検の計数処理の制御の流れを示すメインフローチャートである。図７は表示装置の主表示部に表示される操作画面を説明する図であり、（ａ）は計数チェックの設定画面を示す図であり、（ｂ）は計数結果を示す図である。
【００３８】
ステップＳ１１において、端末本体５の主表示部６ａは、図７の（ａ）に示すような計数チェックの設定画面５０を表示し、操作者が入力装置４を用いて行う券種別入力を受け付ける。
計数チェックの設定画面５０は、メニュー欄５０ａと設定条件欄５０ｂとからなり、スクロールボタン５０ｃ、５０ｄ、５０ｅ、５０ｆを含んでいる。メニュー欄５０ａには、モード選択ボタンである「御注文」と表示されたボタン５１、「計数チェック」と表示されたボタン５２が用意されている。ここでは、ボタン５２が押されて、「計数チェック」のモードが動作していることを示す輝度で表示されている。
【００３９】
設定条件欄５０ｂには、選択可能な券種別（大項目）を表示させるアイコンボタン５４とその表示欄であるコンボボックス欄５３と、取扱者氏名の手入力を受け入れる取扱者欄５５、券種別（小項目）欄５６Ａ，５６Ｂ，・・・、正常枚数欄６１Ａ，６１Ｂ，・・・、異常枚数欄６２Ａ，６２Ｂ，・・・、計数機ＩＤ欄５７Ａ，５７Ｂ，・・・、データ取得ボタン５８ａ、スタートボタン５８ｂ、終了ボタン５８ｃが用意されている。
券種別（大項目）は、サーバ９（図２参照）に登録されている各種催し物のチケットの券種別を示す欄であり、コンボボックス欄５３に表示させて、選択できるようになっている。
【００４０】
アイコンボタン５４を押して、これから計数チェックしようとしている券種別（大項目）をサーバ９との通信により表示させて、選択する。そうすると、その券種別（大項目）に対応したより詳細な券種別（小項目）、例えば、「大人券」や「小人券」が券種別（小項目）欄５６Ａ，５６Ｂ，・・・に表示される。その後、操作者は表示された券種別（小項目）欄５６Ａ，５６Ｂ，・・・の中から、計数チェック処理の対象の券種別（小項目）欄をチェックする。チェックされた券種別（小項目）欄は色が選択された状態の色に変化する。
計数機ＩＤ欄５７Ａ，５７Ｂ，・・・は、当該の券種別（小項目）のチケットＴを装填部２２（図１参照）に重積して、その枚葉計数機３のＩＤ（以下、計数機ＩＤと称する）を指定する欄である。
【００４１】
データ取得ボタン５８ａは、券種別（大項目）、券種別（小項目）を設定画面５０で設定して、券種別に対応した識別符号４１ａ（図３参照）や、大項目、小項目の券種別を示す情報である券種別情報４２をサーバ９（図２参照）から取得するボタンである。スタートボタン５８ｂは、券種別（大項目）、券種別（小項目）を設定して、更に、計数機ＩＤ欄５７Ａが入力されて特定された枚葉計数機３に対して計数開始を指示するボタンである。このボタンは、１台の枚葉計数機３に何度にも分けて異なる券種別に対して計数処理を行わせるときには、その都度、当該の券種別（小項目）に対応させて計数機ＩＤを設定し、設定された枚葉計数機３に計数指示を送ることができる。
計数結果はその都度、記憶部５ｅ（図２参照）に蓄積され、終了ボタン５８ｃを押すと、全ての計数結果が表示される。従って、図１では販売端末装置１には枚葉計数機３が２台含まれているが、もっと多くの台数でも良く、逆に１台でも良い。
なお、正常枚数欄６１Ａ，６１Ｂ，・・・、異常枚数欄６２Ａ，６２Ｂ，・・・には、計数の都度の枚数が表示される。図７の（ｂ）についてはステップＳ１８の説明の中で説明する。
【００４２】
この設定画面５０の表示状態で、券種別（大項目）のコンボボックス欄５３、券種別（小項目）欄５６Ａ，５６Ｂ，・・・が設定され、データ取得ボタン５８ａをマウス４ｂ（図１参照）でクリックすると、自動的にサーバ９（図２参照）と通信して、その券種別（大項目）にもとづいて、その種別のチケットＴに付されたＲＦＩＤタグ７に対して設定されたＲＦＩＤタグ識別情報４１の中の識別符号４１ａ（図３参照）、大項目及び小項目の券種別の情報を含む券種別情報、券種別に対応する販売価格等の情報を取得して（ステップＳ１２、「券種別にもとづいて、サーバからＲＦＩＤタグ識別情報の識別符号、券種別情報等を取得」）、記憶部５ｅ（図２参照）に記憶させる（ステップＳ１３）。
【００４３】
次に、操作者は、設定画面５０において計数する対象の券種別（小項目）の行の計数機ＩＤを入力する（ステップＳ１４、「計数機にチェックさせる券種別の特定」）。その後、スタートボタン５８ｂを押下すると、端末本体５は、「計数チェック」モードの信号、ＲＦＩＤタグ識別情報４１の識別符号４１ａ（図３参照）、券種別情報４２（図３参照）を計数機ＩＤ欄５７Ａ，５７Ｂにより指定された枚葉計数機３に送信する（ステップＳ１５）。
【００４４】
ステップＳ１６では、枚葉計数機３が計数処理をする。この処理における制御については、図８及び図９に示すフローチャートを参照しながら後で詳しく説明する。
ステップＳ１７では、枚葉計数機３における計数処理が終了すると、枚葉計数機３からの計数結果を取得する。１台の枚葉計数機３を用いて、券種別（小項目）について多くの計数処理を行う場合は、ステップＳ１４からステップＳ１７を繰り返すことになる。
また、装填部２２に一度に装填できる以上の枚数の同じ券種別（小項目）のチケットＴを計数する場合は、計数が自動的に一端終了し、設定画面５０に戻って同じ装填部２２に再度装填して、操作部２１の図示しない計数開始ボタンを押下すれば、計数が再開される。
【００４５】
操作者が設定画面５０における終了ボタン５８ｃを押下すると計数結果が表示される（ステップＳ１８）。
計数結果表示画面６０には、スクロールボタン５０ｃ，５０ｄ，５０ｅ，５０ｆが用意され、計数処理のために設定された券種別（小項目）及び計数機ＩＤ毎（図７（ｂ）では計数機ＩＤの表示欄を省略）に表示される。
券種別欄６０ａには券種別（大項目）及び券種別（小項目）が表示され、シリアル番号欄（図７の（ｂ）では「シリアルＮｏ．」と表示）、エラーコード欄（図７の（ｂ）では「ＥＲＲＯＲコード」と表示）６０ｃ、正常枚数欄６０ｄ、異常枚数欄６０ｅが用意されている。
シリアル番号欄６０ｂには、ＲＦＩＤタグ識別情報４１（図３参照）が表示され、エラーコード欄６０ｃには、ＲＦＩＤタグ読み出し不良を意味する「１」、識別符号４１ａと合致せずを意味する「２」、券種別情報が入力と異なることを示す「３」、又は、正常を意味するエラーコード表示無しのいずれかとなる。
計数結果表示画面６０が表示されて一連の計数チェックが終了する。
【００４６】
次に、図８及び図９を参照しながら、図６のフローチャートにおけるステップ１６の詳細な制御について説明する。
図８及び図９は枚葉計数機における受け取りチケットの点検の計数処理の制御の流れを示すフローチャートである。この制御は図５に示した制御部３１において図示しないＣＰＵがＲＯＭから読み出した制御プログラムに従ってなされる。
【００４７】
ステップＳ１０１では、通信部３２を介して、図６のフローチャートのステップＳ１５に対応して、端末本体５から、「計数チェック」モードの信号、ＲＦＩＤタグ識別情報４１の識別符号４１ａ（図３参照）、券種別情報４２（図３参照）を取得する。これにより、制御部３１は「計数チェック」モードで枚葉計数機３を制御し、取得した識別符号４１ａ、券種別情報４２をフラッシュメモリに一時記憶する。
【００４８】
ステップＳ１０２では、「計数チェック」モードで計数を開始し、初期状態のリセットを行う。ここで、初期状態のリセットとは、計数部３３での計数枚数ＮＡ、第１のＲＦＩＤタグＲ／Ｗ３５Ａの読み込んだＲＦＩＤタグ情報にもとづく計数枚数ＮＩＳ、異常枚数ＮＥＲＲＯＲをそれぞれリセット（＝０）し、エラーコードを示す配列ＩＥＲＲＯＲ（ＮＡ）をリセット（＝０）することを意味する。ＩＥＲＲＯＲ（ＮＡ）の引数ＮＡはチケットＴの計数部３３での計数枚数であり、ＮＡ＝１〜Ｎｍａｘ（Ｎｍａｘ：予めプログラム上で設定された最大値）である。
【００４９】
そして、次に、繰り出し機構２６（図４参照）に繰り出し機構動作指令を出す（ステップＳ１０３）。このステップＳ１０３は、その後の繰り返しにおいては、後記するステップＳ１１８又はステップＳ１２０動作後に、繰り出し機構２６に繰り出し機構動作指令を出力するようになっている。具体的には、ステッピングモータＭ１（図５参照）は計数センサＳ１，Ｓ２（図４参照）及び検出センサＳ５，Ｓ６で駆動・停止が制御される。
つまり、繰り出し機構２６が駆動した後、計数センサＳ１，Ｓ２がチケットＴの検出信号を出力すると停止し、検出センサＳ５，Ｓ６がチケットＴの検出信号を出力すると、また駆動をする。これに対し、搬送通路２９（図４中、搬送通路域２９ａ〜２９ｆで表示）のローラ等を駆動するモータＭ２（図５参照）は、計数を開始後一定速度で搬送通路２９のローラ等を連続的に駆動する。
【００５０】
ステップＳ１０４では、フラグをリセットする。具体的には、チケットＴに付されたＲＦＩＤタグ７のＲＦＩＤタグ情報が読み取れない場合のフラグＩＢＦＬＡＧ、ＲＦＩＤタグ情報は読み取れたが、端末本体５から取得した識別符号４１ａと一致しない場合のフラグＩＣＦＬＡＧ、ＲＦＩＤタグ情報は読み取れ識別符号４１ａと一致したが、券種別情報４２が一致しない場合のフラグＩＤＦＬＡＧを、それぞれリセット（＝０）する。
【００５１】
ステップＳ１０５では、計数部３３において、ステップＳ１０３の後、所定時間内に計数センサＳ１がオン→オフになり、かつ、所定時間内に計数センサＳ２がオン→オフになったか否かをチェックする。この所定時間は繰り出し機構２６でチケットＴが繰り出されて、計数部３３に達するに必要な時間に、十分な余裕を加味して設定された時間であり、所要時間内に計数センサＳ１，Ｓ２がオン→オフにならない場合（Ｎｏ）は、装填部２２にチケットＴがもう無いことを意味し、（Ｂ）の符号に従い、Ｓ１２１へ進む。所要時間内に計数センサＳ１，Ｓ２がオン→オフになった場合（Ｙｅｓ）はステップＳ１０６に進み、繰り出し機構２６のチケットＴの送り枚数である計数枚数ＮＡ＝ＮＡ＋１とする。ステップＳ１０６の後ステップＳ１０７へ進む。
【００５２】
ステップＳ１０７では、送り枚数計数後、第１の所定時間窓内に検出センサ３がオン→オフになったか否かをチェックする。この第１の所定時間窓内は、計数部３３から検出センサＳ３の位置まで距離をチケットＴが搬送されるのに要する時間に若干の余裕を見て設定される。第１の所定時間窓内に検出センサ３がオン→オフになった場合（Ｙｅｓ）は、ステップＳ１０８に進み、そうでない場合（Ｎｏ）はステップＳ１０７を繰り返す。
【００５３】
ステップＳ１０８では、第１のＲＦＩＤタグＲ／Ｗ３５ＡにＲＦＩＤタグ情報読み出しの指示を出し、第１のＲＦＩＤタグＲ／Ｗ３５ＡにおいてＲＦＩＤタグ情報読み出しを行う。
ステップＳ１０９では、ＲＦＩＤタグ情報を読み出せたか否かをチェックする。読み出せた場合（Ｙｅｓ）はステップＳ１１１へ進み、読み出せなかった場合（Ｎｏ）は、通信不能なＲＦＩＤタグ７であると判定して、ステップＳ１１０へ進む。通信不能なＲＦＩＤタグ７であると判定の場合には、（１）確率は小さいが単なる通信失敗、（２）チケットＴにＲＦＩＤタグ７が付されていない、（３）ＲＦＩＤタグ７が破損等により故障のケースが考えられる。
ステップＳ１１０では、ＩＢＦＬＡＧ＝１としてフラグを立て、ＩＥＲＲＯＲ（ＮＡ）＝１とエラーコードを入れ、その後、（Ａ）の符号に従って、ステップＳ１１６へ進む。
【００５４】
ステップＳ１１１では、ステップＳ１０８において読み出されたＲＦＩＤタグ情報４０（図３参照）の中のＲＦＩＤタグ識別情報４１の識別符号４１ａは、ステップＳ１０１で取得した識別符号４１ａと一致するか否かをチェックする。一致した場合（Ｙｅｓ）はステップＳ１１３へ進み、一致しない場合（Ｎｏ）は、真正識別情報を含まないＲＦＩＤタグ７であると判定して、ステップＳ１１２へ進む。真正識別情報を含まないＲＦＩＤタグ７であると判定の場合には、（１）確率は小さいが単なる通信エラー、（２）ＲＦＩＤタグ７が偽造又は情報の改変のケースが考えられる。
ステップＳ１１２では、ＩＣＦＬＡＧ＝１としてフラグを立て、ＩＥＲＲＯＲ（ＮＡ）＝２とエラーコードを入れ、その後、（Ａ）の符号に従って、ステップＳ１１６へ進む。
【００５５】
ステップＳ１１３では、ステップＳ１０８で読み出された券種別情報４２が、ステップＳ１０１で取得された券種別情報４２と一致するか否かをチェックする。一致した場合（Ｙｅｓ）はステップＳ１１５へ進み、一致しない場合（Ｎｏ）は、券種別が異なると判定してステップＳ１１４へ進む。ステップＳ１１４では、ＩＤＦＬＡＧ＝１としてフラグを立て、ＩＥＲＲＯＲ（ＮＡ）＝３とエラーコードを入れ、その後、（Ａ）の符号に従って、ステップＳ１１６へ進む。
券種別情報４２と一致しない場合は、計数処理対象のチケットＴの束に他の種別のチケットが混じっている場合等、人為的なミスが考えられる。
【００５６】
ステップＳ１１５では、ＮＩＳ＝ＮＩＳ＋１とし、正常枚数を１枚加算し、ステップＳ１１６へ進む。ステップＳ１１６では、検出センサＳ５がオフ→オン後、所定時間内に検出センサＳ６がオフ→オンになったか否かをチェックする。検出センサＳ５がオフ→オン後、所定時間内に検出センサＳ６がオフ→オンになった場合（Ｙｅｓ）はステップＳ１１７へ進み、そうでない場合（Ｎｏ）はステップＳ１１６を繰り返す。
ここで所定時間は、検出センサＳ５の位置と検出センサＳ６の位置の間をチケットＴの後ろ側の端が通過するのに要する時間に若干の余裕を見て設定される。
【００５７】
ステップＳ１１７では、フラグＩＢＦＬＡＧ，ＩＣＦＬＡＧ，ＩＤＦＬＡＧのいずれかでも立っている（＝１）か否かをチェックする。いずれかでも立っている場合（Ｙｅｓ）は、ステップＳ１１９へ進み、そうでない場合（Ｎｏ）はステップＳ１１８へ進む。
ステップＳ１１８では、第１の集積部２３の枠体２３ｄ（図４参照）を左位置に設定し、所定時間保持する。その後（Ｃ）の符号に従いステップＳ１０３に戻る。
ステップＳ１１７においてＹｅｓの場合は、ステップＳ１１９で、異常枚数ＮＥＲＲＯＲ＝ＮＥＲＲＯＲ＋１と異常枚数を１枚加算し、ステップＳ１２０で第１の集積部２３の枠体２３ｄを右位置に設定し、所定時間保持する。その後（Ｃ）の符号に従いステップＳ１０３に戻る。
【００５８】
ステップＳ１１８、Ｓ１２０における所定時間の保持時間は、ステップＳ１１６後、チケットＴが搬送通路域２９ｄ，２９ｆを経由して第１の集積部２３に達するまでの時間に若干の余裕を見たものである。こうすることによりフラグＩＢＦＬＡＧ，ＩＣＦＬＡＧ，ＩＤＦＬＡＧがそれぞれ０である正常チケットＴは、第１の集積部２３の右側寄りに集積され、フラグＩＢＦＬＡＧ，ＩＣＦＬＡＧ，ＩＤＦＬＡＧのいずれかが＝１である異常チケットＴ’は、第１の集積部２３の左側寄りにずれて集積され、異常チケットＴ’と正常チケットＴが判別可能に集積される。
【００５９】
ステップＳ１１８又はステップＳ１２０の後、ステップＳ１０３に戻ると、次の新たなチケットＴが繰り出し機構２６から繰り出され、ステップＳ１０４〜ステップＳ１２０の一連の制御が繰り返される。
なお、制御上、ステップＳ１１８、又はステップＳ１２０の後にステップＳ１０３に戻るのに、前記枠体２３ｄの位置を保持する保持時間だけ待つ必要は無い。ステップＳ１１６においてＹｅｓの場合、直ちにステップＳ１０３に戻り、繰り出し機構動作指令を出して次のチケットＴを繰り出せば、より迅速に計数できる。
【００６０】
装填部２２に重積されたチケットＴがなくなるとステップＳ１０５においてＮｏとなり、（Ｂ）の符号に従ってステップＳ１２１へ進む。ステップＳ１２１では、計数枚数ＮＡ，ＮＩＳ，ＮＥＲＲＯＲを表示部２５ａに表示する。そして、計数結果情報を端末本体へ送信する。
もし、操作者がこの状態で、これまでと同じ券種別のチケットＴの「計数チェック」モードでの計数処理を続ける場合は、装填部２２にチケットＴを再度装填し、操作部２１の計数開始ボタンを押すと、ステップＳ１０３に戻り、「計数チェック」モードが続行される。このとき、ＮＡ，ＮＩＳ，ＮＥＲＲＯＲ等の値は引き継がれ、計数結果情報も一連のものとしてそのまま追加されていく。
【００６１】
以上により、枚葉計数機３における一連のチケットＴの「計数チェック」モードの処理が終了する。
別の券種別のチケットＴに対して、「計数チェック」モードの計数処理を行う場合は、ステップＳ１０１から行う必要がある。
ここで、計数枚数ＮＡが、チケットＴの装填部２２に装填された枚数であり、ＮＥＲＲＯＲが計数枚数ＮＡの内の異常チケット（異常紙葉類）の枚数（図７の（ｂ）中の異常枚数欄６０ｅに表示される値）であり、ＮＩＳが計数枚数ＮＡの内の正常枚数（図７の（ｂ）中の正常枚数欄６０ｄに表示される値）である。
また、計数枚数ＮＡと正常枚数ＮＩＳとを比較して、差があれば表示部２５ａ又は表示部２５ｂに警報表示して操作者に注意喚起しても良いし、図５に図示しないブザーにより警報音を出させても良い。
【００６２】
なお、搬送通路２９の各ローラ、特に搬送通路域２９ｂのチケットＴの搬送速度は、検出センサＳ３，Ｓ４の間をチケットＴが通過する間に第１のＲＦＩＤタグＲ／Ｗ３５ＡがＲＦＩＤタグ７のＲＦＩＤタグ情報を読み出すことが可能な速度であれば、できるだけ高速にすると良い。この通過時間を、例えば、０．２秒とすればＲＦＩＤタグＲ／Ｗ３５ＡがＲＦＩＤタグ７と通信するに十分な通信時間である。
【００６３】
本計数処理において、フローチャートのステップＳ１０１は、請求項に記載の真正識別情報取得手段を構成する。
【００６４】
以上、本実施の形態の枚葉計数機３による第１の計数処理によれば、ＲＦＩＤタグ７付のチケットＴを受け入れ検査において、チケットＴを１枚１枚繰り出して、第１のＲＦＩＤタグＲ／Ｗ３５Ａに読ませることができるので、チケットＴにＲＦＩＤタグ７が付されているか、ＲＦＩＤタグ７が破損していないか、ＲＦＩＤタグ７に書き込まれているＲＦＩＤタグ識別情報４１は真正なものか等が確実にチェックできる。
【００６５】
特に、搬送通路域２９ａ〜２９ｃには１枚のチケットＴだけを流し、光学的センサである計数センサＳ１，Ｓ２でチケットＴの送り枚数をチェックした後に、第１のＲＦＩＤタグＲ／Ｗ３５Ａの位置にチケットＴが搬送されたタイミングで第１のＲＦＩＤタグＲ／Ｗ３５ＡはＴＦＩＤタグ７と通信するので、他のチケットＴに付されたＲＦＩＤタグ７と混信することは無く、確実に１枚１枚との通信結果にもとづいてチェックすることができる。
また、装填部２２にガイド板２２ａとマーカ２２ｂを設けて、第１のＲＦＩＤタグＲ／Ｗ３５Ａのアンテナ位置と、チケットＴに付されたＲＦＩＤタグ７のチケットＴにおける横長方向の位置とを合致させるので、確実な通信が確保できる。
【００６６】
更に、計数センサＳ１，Ｓ２で計数されたチケットＴの枚数ＮＡと、第１のＲＦＩＤタグＲ／Ｗ３５Ａに読み取られたＲＦＩＤタグ７のＲＦＩＤタグ情報にもとづく枚数ＮＩＳを比較し、異常チケットＴ’の枚数を計数せずとも異常チケットＴ’の有無をチェックすることができる。そして、ＲＦＩＤタグ７と通信して異常チケットＴ’と判定されたものは、その内容（通信不可、識別符号４１ａ含まず（偽チケットの可能性）、券種別情報４２が不一致（券種別の誤配布、別の券種別の混入等））に対応させて、エラーコード「１」、「２」、「３」を表示し、又、第１の集積部２３において横にはねて集積するので、その後の当該チケットＴ’の手作業の仕分け、他のＲＦＩＤタグＲ／Ｗによる読み直し確認等の処理がしやすい。
なお、請求項に記載の計数センサとして、チケットＴの枚数ＮＡを光センサのオン、オフで計数をする、計数センサＳ１，Ｓ２に限定されない。制御部３１により制御される繰り出し機構２６の作動回数を検知して計数するものでも良い。
【００６７】
《第２の計数処理の例》
次に、本実施の形態における枚葉計数機３を用いて、例えば、販売代理店や、チケット発売窓口において、所定の種別のチケットＴをお客に所定枚数計数して販売する場合の第２の計数処理の例について説明する。
操作者は端末本体５を起動して、お客の窓口での購入を受け付ける「御注文」モード、チケット受け入れ検査処理の「計数チェック」モードの内の「御注文」モードを選ぶ。販売端末装置１はネットワーク２を介してサーバ９と接続している。
図１０は端末本体における販売チケットの計数処理の制御の流れを示すメインフローチャートである。図１１は表示装置の主表示部に表示される販売枚数入力画面を示す図であり、図１２は表示装置の主表示部に表示される発券明細画面を示す図である。
【００６８】
ステップＳ２１において、端末本体５は、図１１に示すような販売枚数入力画面７０を表示し、券種別（紙葉類の種別）、枚数等入力を受け付ける。
ここで、券種別（紙葉類の種別）、枚数の情報は、請求項に記載の計数指示情報に対応する。
販売枚数入力画面７０は、メニュー欄７０ａと設定条件欄７０ｂとからなる。メニュー欄７０ａには、モード選択ボタンである「御注文」と表示されたボタン７１、「計数チェック」と表示されたボタン７２が用意されている。ここでは、ボタン７２が押されて、その「御注文」のモードが動作していることを示す輝度で表示されている。
【００６９】
設定条件欄７０ｂには、選択可能な券種別（大項目）を表示させるアイコンボタン７４とその表示欄であるコンボボックス欄７３と、取扱者氏名の手入力を受け入れる取扱者欄７５、券種別（小項目）欄、例えば、「大人券」７６Ａ，「中人券」７６Ｂ，「学生割引券」７６Ｃ，「小人券」７６Ｄ、券種別（小項目）欄それぞれに対応する単価欄７７Ａ，７７Ｂ，７７Ｃ，７７Ｄ、注文枚数欄７８Ａ，７８Ｂ，７８Ｃ，７８Ｄ、小計欄７９Ａ，７９Ｂ，７９Ｃ，７９Ｄ、計数機ＩＤ欄８０Ａ，８０Ｂ，８０Ｃ，８０Ｄ、合計欄８１、御客様名称を手入力する御客様名称欄８２、スタートボタン８３ａ、終了ボタン８３ｂが用意されている。
【００７０】
券種別（大項目）、券種別（小項目）、単価等のデータは、先に「計数チェック」のモードでサーバ９からＲＦＩＤタグ識別情報４１の識別符号４１ａや券種別情報４２等を取得したときに同時に取得して記憶部５ｅ（図２参照）記憶されているデータである。そして、販売窓口において、端末本体５又は無線ＬＡＮ等で接続した図示しない別のパーソナルコンピュータ等に搭載された在庫管理プログラムにより各種チケットの在庫管理をしており、アイコンボタン７４を押下して、記憶部５ｅから又は別のパーソナルコンピュータから読み出して前記したコンボボックス欄７３に表示させて、選択できるようになっている。
ここでは、記憶部５ｅにこれらのデータが格納されているとして、説明する。
【００７１】
アイコンボタン７４を押して、これから販売しようとしている券種別（大項目）を記憶部５ｅに登録されている在庫データを表示させて、選択する。そうすると、その券種別（大項目）に対応したより詳細な券種別（小項目）、例えば、券種別（小項目）欄７６Ａ、７６Ｂ，７６Ｃ，７６Ｄに「大人券」、「中人券」、「学生割引券」、「小人券」等が表示される。それに対応する単価が単価欄７７Ａ，７７Ｂ，７７Ｃ，７７Ｄに表示される。
その後、表示された券種別（小項目）欄７６Ａ，７６Ｂ，・・・の中から、注文を受けた券種別（小項目）欄に対応する注文枚数欄７８Ａ，７８Ｂ，・・・にお客から注文を受けた枚数を、入力装置４を用いて手入力する。そうすると、連動して対応する券種別（小項目）の小計欄７９Ａ、７９Ｂ，・・に（単価）×（枚数）の小計が表示され、又、連動して合計欄にも合計額が表示される。注文枚数を入力された券種別（小項目）欄は色が選択された状態の色に変化する。
計数機ＩＤ欄８０Ａ，８０Ｂ，・・・は、選択された当該の券種別（小項目）のチケットＴを装填部２２に重積して、その枚葉計数機３のＩＤを指定する欄である。
【００７２】
ちなみに、図１１に例示した販売枚数入力画面７０では、券種別（大項目）が１つだけ表示されて、その下に券種別（小項目）や単価、注文枚数、小計、計数機ＩＤを表示するようにしたが、券種別（大項目）のアイコンボタン７４とコンボボックス欄７３を複数表示し、複数の券種別（大項目）の設定が行われたときに、随時その下に券種別（小項目）や単価、注文枚数、小計、計数機ＩＤを表示するポップアップ・ウインドが開き、合計欄８１は、それら複数の券種別（大項目）に対して計算されるようにしても良い。
【００７３】
スタートボタン８３ａは、券種別（大項目）、券種別（小項目）を設定して、更に、計数機ＩＤが設定された枚葉計数機３に対して計数開始を指示するボタンである。このボタンは、計数を何度にも分けて行うときには、その都度、当該の券種別（小項目）に対応させて計数機ＩＤを設定し、設定された枚葉計数機３に計数指示を送ることができる。
計数結果はその都度、記憶部５ｅに蓄積され、終了ボタン８３ｂを押すと、全ての計数結果が表示される。
【００７４】
この販売枚数入力画面７０の表示状態で、券種別（大項目）のコンボボックス欄７３、券種別（小項目）欄７６Ａ，７６Ｂ，・・・、注文枚数欄７８Ａ，７８Ｂ，・・・、計数機ＩＤ欄８０Ａ，８０Ｂ，・・・が設定され、スタートボタン８３ａをマウス４ｂ（図１参照）でクリックすると、記憶部５ｅからその券種別（大項目）にもとづいて、その種別のチケットＴに付されたＲＦＩＤタグ７に対して設定されたＲＦＩＤタグ識別情報４１の中の識別符号４１ａ（図３参照）、大項目及び小項目の券種別の情報も含む券種別情報４２、予め記憶部５ｅに登録された発行店コードを取得（ステップＳ２２、「券種別にもとづいて、記憶部から券種別に対応したＲＦＩＤタグ識別情報の識別符号、券種別情報と発行店コードを取得」）する。そして、計数機ＩＤの指定にもとづいて、枚葉計数機３毎に「御注文」モードの信号、ＲＦＩＤタグ識別情報４１の識別符号（真正識別情報）４１ａ、券種別情報（紙葉類の種別）、ＰＯＳ情報である発行店コード（販売店情報）と日時情報、枚数ＮＲを送信する（ステップＳ２３）。ここで、券種別情報（紙葉類の種別）、枚数ＮＲが、請求項に記載の計数指示情報に対応し、ＰＯＳ情報である発行店コードと日時情報が請求項に記載の販売情報に対応する。
【００７５】
ステップＳ２４では、枚葉計数機３が計数処理をする。この処理における制御については、図１３から図１５に示すフローチャートを参照しながら後で詳しく説明する。
ステップＳ２５では、枚葉計数機３における計数処理が終了すると、枚葉計数機３からの計数結果を取得する。１台の枚葉計数機３を用いて、券種別（小項目）について多くの計数を行う場合は、ステップＳ２３からステップＳ２５を繰り返すことになる。
また、装填部２２に一度に装填できる以上の枚数の同じ券種別（小項目）のチケットＴを計数する場合は、計数が自動的に一時停止し、同じ装填部２２に再度装填して、操作部２１の図示しない計数開始ボタンを押下すれば、計数が継続される。
【００７６】
操作者が販売枚数入力画面７０における終了ボタン８３ｂを押下すると発券情報及びエラー情報が表示される（ステップＳ２６）。発券情報及びエラー情報の内容については後記する。
販売窓口の操作者は、枚葉計数機３の第１の集積部２３（図１参照）から計数が完了した正常チケットＴを取り出し、主表示部６ａ（図１参照）に出ている発券明細画面８５（図１２参照）を見ながら、お客と注文の確認を行い、お金の受け取りを行なった後にチケットＴを手交する。
【００７７】
このとき、主表示部６ａには先ず、図１２に示す発券明細画面８５が表示される。発券明細画面８５には、御客様名称欄８６、販売店の名称欄である発券者名欄８７ａ、取扱者名欄８７ｂ、券種別（大項目）欄８８、券種別（小項目）欄８９（図中では、８９Ａ、８９Ｂと表示）、単価欄９０（図中では、９０Ａ、９０Ｂと表示）、枚数欄９１（図中では、９１Ａ、９１Ｂと表示）、小計欄９２（図中では、９２Ａ、９２Ｂと表示）、合計欄９３と、「領収書印刷」と表示されたアイコンボタン８５ａが用意されている。
なお、御客様名称欄８６、取扱者名欄８７ｂ、券種別（小項目）欄８９（図中では、８９Ａ、８９Ｂと表示）、単価欄９０（図中では、９０Ａ、９０Ｂと表示）、小計欄９２（図中では、９２Ａ、９２Ｂと表示）、合計欄９３は、販売枚数入力画面７０の入力確定（終了ボタン８３ｂを押下することが対応）により、販売枚数入力画面７０から引き継がれたものであり、発券者名欄８７ａは、予め記憶部５ｅに記憶させてあるデータである。
【００７８】
なお、表示画面がお客側に向いた副表示部６ｂには、発券明細画面８５の券種別（大項目）、券種別（小項目）毎の（単価）×（枚数）＝（小計）、（合計）が表示され、お客との注文の確認、金額の確認ができるようになっている。
その後、操作者が発券明細画面８５の「領収書印刷」と表示されたボタン８５ａを押下することにより、端末本体５はプリンタ８へ発券明細の内容を送信し印刷させる（ステップＳ２７、領収書の発行）。その後、操作者は、発券情報及びエラー情報をサーバ９へ送信し（ステップＳ２８）、「御注文」モードにおける一連の計数処理が終了する。
【００７９】
ちなみに、図１２に例示した発券明細画面８５では、券種別（大項目）が１つだけ表示されて、その下に券種別（小項目）や単価、枚数、小計を表示するようにしたが、複数の券種別（大項目）の設定が行われたときに、随時その下に券種別（小項目）や単価、注文枚数、小計を表示するポップアップ・ウインドが開き、合計欄９３は、それら複数の券種別（大項目）に対して計算されるようにしても良い。
【００８０】
次に、図１３から図１５を参照しながら、図１０のフローチャートにおけるステップ２４の詳細な制御について説明する。
図１３から図１５は枚葉計数機における販売チケットの計数処理の制御の流れを示すフローチャートである。この制御は図５に示した制御部３１において図示しないＣＰＵがＲＯＭから読み出した制御プログラムに従って制御する。
【００８１】
ステップＳ２０１では、通信部３２を介して、図１０のフローチャートのステップＳ２３に対応して、端末本体５から、「御注文」モードの信号、ＲＦＩＤタグ識別情報４１の識別符号（真正識別情報）４１ａ（図３参照）、券種別情報（紙葉類の種別）４２（図３参照）、発行店コード（販売店情報）、日時情報、枚数ＮＲを取得する。これにより、制御部３１は「御注文」モードで枚葉計数機３を制御し、取得した識別符号４１ａ、券種別情報４２、発行店コード、日時情報をフラッシュメモリに一時記憶する。
ここで、券種別情報４２、枚数ＮＲが、請求項に記載の計数指示情報に対応し、ＰＯＳ情報である発行店コード、日時情報が請求項に記載の販売情報に対応する。
【００８２】
ステップＳ２０２では、「御注文」モードで計数を開始し、初期状態のリセットを行う。ここで、初期状態のリセットとは、計数部３３での計数枚数ＮＡ、第１のＲＦＩＤタグＲ／Ｗ３５Ａ及び第２のＲＦＩＤタグＲ／Ｗ３５ＢによるＲＦＩＤタグ情報の読み出し書き込みにもとづく正常チケットと判定した枚数ＮＩＳ、異常枚数ＮＥＲＲＯＲをそれぞれリセット（＝０）し、正常チケットＴを所定枚数、例えば１００枚毎のブロックとするための作業用の引数Ｉ＝０とし、異常チケットと判定したときに立てる各フラグＩＢＦＬＡＧ，ＩＣＦＬＡＧ，ＩＤＦＬＡＧ，ＩＥＦＬＡＧをそれぞれリセット（＝０）し、エラーコードを示す配列ＩＥＲＲＯＲ（ＮＡ）をリセット（＝０）することを意味する。
ＩＥＲＲＯＲ（ＮＡ）の引数ＮＡはチケットＴの計数部３３での計数枚数であり、ＮＡ＝１〜Ｎｍａｘ（Ｎｍａｘ：予めプログラム上で設定された最大値）までである。
【００８３】
そして、例えば、販売チケットＴを１００枚ずつ単位に分かりやすく区切るための制御のために、ステップＳ２０３では、Ｉｍａｘ＝［ＮＲ／１００］の演算をする。ここで［Ｘ］は数学演算子であり、実数ＸのＸを超えない最大の整数である。そして、Ｉｍａｘが０より大きいか、つまり、ＮＲが１００以上の数であるかをチェックする（ステップＳ２０４）。Ｉｍａｘが０より大きい場合（Ｙｅｓ）は、ステップＳ２０５へ進み、そうでない場合（Ｎｏ）はステップＳ２０６へ進む。
ステップＳ２０５では、Ｉ＝Ｉ＋１，ＮＢ＝１００×Ｉ＋１とする。ここで、ＮＢは、第１の集積部２３に集積されるチケットＴを１００枚毎の区切りを入れるための新しい１００枚の最初、つまり、１０１，２０１，３０１，・・・を示す。
【００８４】
そして、次に、繰り出し機構２６に繰り出し機構動作指令を出す（ステップＳ２０６）。このステップＳ２０６は、その後の繰り返しにおいては、後記するステップＳ２３１後に、繰り出し機構２６に繰り出し機構動作指令を出力するようになっている。具体的には、モータＭ１は計数センサＳ１，Ｓ２及び検出センサＳ５，Ｓ６で駆動・停止が制御される。
つまり、繰り出し機構２６が駆動した後、計数センサＳ１，Ｓ２がチケットＴの検出信号を出力すると停止し、検出センサＳ５，Ｓ６がチケットＴの検出信号を出力すると、また駆動をする。これに対し、搬送通路２９のローラ等を駆動するモータＭ２は、計数を開始後一定速度で搬送通路２９のローラ等を連続的に駆動する。
【００８５】
ステップＳ２０７では、計数部３３において、繰り出し機構２６のチケットＴの送り枚数である計数枚数ＮＡ＝ＮＡ＋１とする。計数枚数ＮＡの制御については、図８に示したフローチャートのステップＳ１０５，Ｓ１０６に対する説明が詳しいので、ここでは詳細な説明は省略する。
【００８６】
ステップＳ２０８では、送り枚数計数後、第１の所定時間窓内に検出センサ３がオン→オフになったか否かをチェックする。第１の所定時間窓内に検出センサ３がオン→オフになった場合（Ｙｅｓ）は、ステップＳ２０９に進み、そうでない場合（Ｎｏ）はステップＳ２０８を繰り返す。
【００８７】
ステップＳ２０９では、第１のＲＦＩＤタグＲ／Ｗ３５ＡにＲＦＩＤタグ情報読み出しの指示を出し、第１のＲＦＩＤタグＲ／Ｗ３５ＡにおいてＲＦＩＤタグ情報読み出しを行う。
ステップＳ２１０では、ＲＦＩＤタグ情報を読み出せたか否かをチェックする。読み出せた場合（Ｙｅｓ）はステップＳ２１２へ進み、読み出せなかった場合（Ｎｏ）は、通信不能なＲＦＩＤタグ７であると判定して、ステップＳ２１１へ進む。通信不能なＲＦＩＤタグ７であると判定の場合には、（１）確率は小さいが単なる通信失敗、（２）ＲＦＩＤタグ７が付されていない、（３）ＲＦＩＤタグ７が破損等により故障のケースが考えられる。
ステップＳ２１１では、ＩＢＦＬＡＧ＝１としてフラグを立て、異常枚数を加算し（ＮＥＲＲＯＲ＝ＮＥＲＲＯＲ＋１）、ＩＥＲＲＯＲ（ＮＥＲＲＯＲ）＝１とエラーコードを入れ、その後、（３）の符号に従って、ステップＳ２２２へ進む。
【００８８】
ステップＳ２１２では、ステップＳ２０９において読み出されたＲＦＩＤタグ情報４０（図３参照）の中のＲＦＩＤタグ識別情報４１の識別符号４１ａは、ステップＳ２０１で取得した識別符号４１ａと一致するか否かをチェックする。一致した場合（Ｙｅｓ）はステップＳ２１４へ進み、一致しない場合（Ｎｏ）は、真正識別情報を含まないＲＦＩＤタグ７であると判定して、ステップＳ２１３へ進む。真正識別情報を含まないＲＦＩＤタグ７であると判定の場合には、（１）確率は小さいが単なる通信エラー、（２）ＲＦＩＤタグ７が偽造又は情報の改変のケースが考えられる。
ステップＳ２１３では、ＩＣＦＬＡＧ＝１としてフラグを立て、異常枚数を加算（ＮＥＲＲＯＲ＝ＮＥＲＲＯＲ＋１）し、ＩＥＲＲＯＲ（ＮＥＲＲＯＲ）＝２とエラーコードを入れ、その後、（３）の符号に従って、ステップＳ２２２へ進む。
【００８９】
ステップＳ２１４では、ステップＳ２０９で読み出された券種別情報４２が、ステップＳ２０１で取得された券種別情報４２と一致するか否かをチェックする。一致した場合（Ｙｅｓ）は（１）の符号に従ってステップＳ２１６へ進み、一致しない場合（Ｎｏ）は、券種別が異なると判定してステップＳ２１５へ進む。券種別情報４２と一致しない場合は、計数処理対象のチケットＴの束に他の種別のチケットが混じっている場合等、人為的なミスが考えられる。
ステップＳ２１５では、ＩＤＦＬＡＧ＝１としてフラグを立て、異常枚数を加算（ＮＥＲＲＯＲ＝ＮＥＲＲＯＲ＋１）し、ＩＥＲＲＯＲ（ＮＥＲＲＯＲ）＝３とエラーコードを入れ、その後、（３）の符号に従って、ステップＳ２２２へ進む。
【００９０】
ステップＳ２１６では、検出センサＳ４がオフ→オン後、第２の所定時間窓内に検出センサＳ５がオン→オフになったか否かをチェックする。この第２の所定時間窓内は、検出センサＳ４の位置から検出センサＳ５の位置まで距離からチケットＴの幅を差し引いた距離をチケットＴが搬送されるのに要する時間に若干の余裕を見て設定される。第２の所定時間窓内に検出センサＳ５がオン→オフになった場合（Ｙｅｓ）は、ステップＳ２１７に進み、そうでない場合（Ｎｏ）はステップＳ２１６を繰り返す。
【００９１】
ステップＳ２１７では、第２のＲＦＩＤタグＲ／Ｗ３５ＢにＲＦＩＤタグ書き込みの指示を出し、第２のＲＦＩＤタグＲ／Ｗ３５ＢにおいてＰＯＳ情報、例えば、発行店コード、日時情報の書き込みを行う（第２のＲＦＩＤタグＲ／Ｗが発行店コード、日時情報を書き込み）。
【００９２】
ステップＳ２１８では、第２のＲＦＩＤタグＲ／Ｗ３５ＢにＲＦＩＤタグ情報読み出し指示を出し、第２のＲＦＩＤタグＲ／Ｗ３５ＢがＲＦＩＤタグ情報の中の、ステップＳ２１７で書き込んだＰＯＳ情報を読み出せたか否かをチェックする（発行店コード、日時情報読み出し可？）。読み出せた場合（Ｙｅｓ）はステップＳ２２０へ進み、読み出せなかった場合（Ｎｏ）は、ステップＳ２１９へ進む。ステップＳ２１９では、ＩＥＦＬＡＧ＝１としてフラグを立て、異常枚数を加算（ＮＥＲＲＯＲ＝ＮＥＲＲＯＲ＋１）し、ＩＥＲＲＯＲ（ＮＥＲＲＯＲ）＝４とエラーコードを入れ、その後、ステップＳ２２３へ進む。
【００９３】
ステップＳ２２０では、分岐爪３４ａ（図４参照）を第１の集積部２３側へ動作させる。つまり、搬送通路域２９ｃを通過したチケットＴは正常チケットＴと判定されて搬送通路域２９ｄ、２９ｆを経由して第１の集積部２３に集積される。ステップＳ２２１では、正常チケットの枚数を加算する（ＮＩＳ＝ＮＩＳ＋１）。
【００９４】
ステップＳ２１１，Ｓ２１３，Ｓ２１５からステップＳ２２２へ進んだ場合は、検出センサＳ５がオフ→オン後、所定時間内に検出センサＳ６がオフ→オンになったか否かをチェックする。検出センサＳ５がオフ→オン後、所定時間内に検出センサＳ６がオフ→オンになった場合（Ｙｅｓ）はステップＳ２２３へ進み、そうでない場合（Ｎｏ）はステップＳ２２２を繰り返す。
ここで所定時間は、検出センサＳ５の位置と検出センサＳ６の位置の間をチケットＴの後ろ側の端が通過するのに要する時間に若干の余裕を見て設定される。
【００９５】
ステップＳ２２３では、フラグＩＢＦＬＡＧ，ＩＣＦＬＡＧ，ＩＤＦＬＡＧ，ＩＥＦＬＡＧのいずれかでも立っている（＝１）か否かをチェックする。いずれかでも立っている場合（Ｙｅｓ）は、ステップＳ２２４へ進み、そうでない場合（Ｎｏ）は（４）の符号に従い、ステップＳ２２６へ進む。
【００９６】
ステップＳ２２４では、分岐爪３４ａを第２の集積部２４側へ動作させる。つまり、搬送通路域２９ｃを通過したチケットＴは異常チケットＴ’と判定されて搬送通路域２９ｅを経由して第２の集積部２４に集積される。ステップＳ２２５では、フラグをリセットする。具体的には、チケットＴに付されたＲＦＩＤタグ７のＲＦＩＤタグ情報が読み取れない場合のフラグＩＢＦＬＡＧ、ＲＦＩＤタグ情報が読み取れたが、端末本体５から取得した識別符号４１ａとＲＦＩＤタグ情報に含まれる識別符号４１ａとが一致しない場合のフラグＩＣＦＬＡＧ、ＲＦＩＤタグ情報が読み取れて識別符号４１ａが一致したが、端末本体５から取得した券種別情報４２とＲＦＩＤタグ情報に含まれる券種別情報４２が一致しない場合のフラグＩＤＦＬＡＧ、ステップＳ２１７においてＰＯＳ情報の書き込み処理をしたが、その後のステップＳ２１８において書き込まれたはずのＰＯＳ情報が読み出せなかった（ＰＯＳ情報の書き込み失敗）場合のフラグＩＥＦＬＡＧを、それぞれリセット（＝０）する。
【００９７】
ステップＳ２２６では、Ｉｍａｘが０より大きいか否かをチェックする。０より大きい場合（Ｙｅｓ）は、ステップＳ２２７へ進み、そうでない場合（Ｎｏ）はステップＳ２３１へ進む。ステップＳ２２７では、ＮＩＳ＝ＮＢであるか否かをチェックする。ＮＩＳ＝ＮＢの場合（Ｙｅｓ）は、ステップＳ２２８へ進み、そうでない場合（Ｎｏ）はステップＳ２３１へ進む。
ステップＳ２２８では、第１の集積部２３の枠体２３ｄを、現在位置と異なる側へ移動する。つまり、現在が左側の位置なら右側の位置へ、逆に現在が右側の位置なら左側の位置に移動させる。
【００９８】
これにより、第１の集積部２３に集積される正常チケットＴが１００枚ずつの単位で、左右にずれて集積される。ステップＳ２２９では、Ｉ＝Ｉ＋１とし、次いで、ＮＢ＝１００×Ｉ＋１とする（ステップＳ２３０）。ステップＳ２３０の後ステップＳ２３１では、正常チケット枚数ＮＩＳが枚数ＮＲ以上であるか否かをチェックする。正常チケット枚数ＮＩＳが枚数ＮＲ以上の場合（Ｙｅｓ）は、ステップＳ２３２へ進み、そうでない場合（Ｎｏ）は、（２）の符号に従いステップＳ２２６へ戻ると、次の新たなチケットＴが繰り出し機構２６から繰り出され、ステップＳ２２６〜ステップＳ２３１の一連の制御が繰り返される。
【００９９】
ステップＳ２３２では、ＲＦＩＤタグ情報にもとづく計数枚数ＮＩＳを表示部２５ａに、異常枚数ＮＥＲＲＯＲを表示部２５ｂ表示する（発券枚数ＮＩＳ及び異常枚数ＮＥＲＲＯＲの表示）。そして、計数結果情報を端末本体５へ送信する（ステップＳ２３３）。
【０１００】
次に、ステップＳ２３３において枚葉計数機３から端末本体５に送信された計数結果情報にもとづいて、端末本体５が主表示部６ａに表示する発券情報とエラー情報について説明する。
図１６は発券情報画面を説明する図である。発券情報画面９５は、例えば、券種別（大項目）欄９６、券種別（小項目）欄９７（図中では、９７Ａ，９７Ｂと表示）、シリアル番号欄９８（図中では、「シリアルＮｏ．」と表示し、又、９８Ａ，９８Ｂと表示）、枚数欄９９（図中では、９９Ａ，９９Ｂと表示）を含んでいる。
図１７はエラー情報画面を説明する図である。エラー情報画面１００は、例えば、券種別（大項目）欄１０１、券種別（小項目）欄１０２Ａ、表形式のエラーコード情報欄１０４Ａを含んでいる。エラーコード情報欄１０４Ａは、異常枚数通番欄１０４Ａａ、コード欄１０４Ａｂ、シリアル番号欄１０４Ａｃ（図中では、「シリアルＮｏ．」と表示）を含んでおり、異常チケットＴ’１枚毎にエラーコードが付され、シリアル番号が読み取れたものにはそれが対応付けて付される。
【０１０１】
以上により、「御注文」モードにおける一連の計数処理が終了する。
別の券種別のチケットＴに対して、「御注文」モードの計数処理を行う場合は、ステップＳ２０１から行う必要がある。
なお、搬送通路２９の各ローラ、特に搬送通路域２９ｂ，２９ｃのチケットＴの搬送速度は、検出センサＳ３，Ｓ４の間をチケットＴが通過する間に第１のＲＦＩＤタグＲ／Ｗ３５ＡがＲＦＩＤタグ７のＲＦＩＤタグ情報を読み出すことが可能な速度、及び検出センサＳ５，Ｓ６の間をチケットＴが通過する間に第２のＲＦＩＤタグＲ／Ｗ３５ＢがＲＦＩＤタグ７のＲＦＩＤタグ情報を書き込み、読み出すことが可能な速度であれば、できるだけ高速にすると良い。この通過時間を、例えば、０．２秒とすればＲＦＩＤタグＲ／Ｗ３５Ａ，３５ＢがＲＦＩＤタグ７と通信するに十分な通信時間である。
【０１０２】
本計数処理において、フローチャートのステップＳ２１は、請求項に記載の計数指示情報の入力手段に対応し、ステップＳ２３は請求項に記載の計数指示情報出力手段に対応する。
また、フローチャートのステップＳ２０１の「ＲＦＩＤタグ識別情報の識別符合の取得」の部分が請求項に記載の真正識別情報取得手段に対応し、「券種別情報、枚数ＮＲの取得」の部分が請求項に記載の計数指示取得手段に対応し、「発行店コード、日時情報の取得」の部分が請求項に記載の販売情報取得手段を構成する。
【０１０３】
以上、本実施の形態の枚葉計数機３による第２の計数処理によれば、ＲＦＩＤタグ７付のチケットＴの窓口販売において、チケットＴを１枚１枚繰り出して、第１のＲＦＩＤタグＲ／Ｗ３５Ａに読ませることができるので、チケットＴにＲＦＩＤタグ７が付されているか、ＲＦＩＤタグ７が破損していないか、ＲＦＩＤタグ７に書き込まれているＲＦＩＤタグ識別情報４１は真正なものか等が確実にチェックできる。
【０１０４】
更に、ＰＯＳ情報のＲＦＩＤタグ７への書き込みを第２のＲＦＩＤタグＲ／Ｗ３５Ｂにさせ、第１のＲＦＩＤタグＲ／Ｗ３５ＡによるＲＦＩＤタグ識別情報４１のチェックと機能を分けているので、ＰＯＳ情報をＲＦＩＤタグ７に確実に書き込み及び書き込み確認ができる。
【０１０５】
特に、搬送通路域２９ａ〜２９ｃには１枚のチケットＴだけを流し、光学的センサである計数センサＳ１，Ｓ２でチケットＴの送り枚数をチェックした後に、第１のＲＦＩＤタグＲ／Ｗ３５Ａの位置にチケットＴが搬送されたタイミングで第１のＲＦＩＤタグＲ／Ｗ３５ＡはＴＦＩＤタグ７と通信するので、他のチケットＴに付されたＲＦＩＤタグ７と混信することは無く、確実に１枚１枚との通信結果にもとづいてチェックすることができる。
また、検出センサＳ４，Ｓ５でチケットＴの位置をチェックした後に、第２のＲＦＩＤタグＲ／Ｗ３５Ｂの位置にチケットＴが搬送されたタイミングで第２のＲＦＩＤタグＲ／Ｗ３５ＢはＴＦＩＤタグ７と通信するので、他のチケットＴに付されたＲＦＩＤタグ７と混信することは無く、確実に１枚１枚との通信結果にもとづいてチェックすることができる。
また、装填部２２にガイド板２２ａとマーカ２２ｂを設けて、第１及び第２のＲＦＩＤタグＲ／Ｗ３５Ａ，３５Ｂのアンテナ位置と、チケットＴに付されたＲＦＩＤタグ７の位置を合致させるので、確実な通信が確保できる。
【０１０６】
更に、ＲＦＩＤタグ７と通信して異常チケットＴ’と判定されたものは、その内容（通信不可、識別符号４１ａ含まず（偽チケットの可能性）、券種別情報４２が不一致（券種別の誤配布、別の券種別の混入等）、ＰＯＳ情報書き込み失敗）に対応させて、エラーコード「１」、「２」、「３」、「４」を表示し、又、第２の集積部２４に集積するので、その後の当該チケットＴ’の手作業の仕分け、他のＲＦＩＤタグＲ／Ｗによる読み直し確認等の処理がしやすいのみならず、正常チケットＴだけが集積された第１の集積部２３のチケットＴを迅速にお客に手交することができる。
【０１０７】
また、ＰＯＳ情報を書き込み失敗したチケットＴ’を発行しないので、お客が購入後にチケット返却したりする場合に、ＲＦＩＤタグ７に記録されたＰＯＳ情報から間違いなく、その販売窓口で発行されたチケットＴであることが確認でき、チケットＴの返却清算時のトラブルを回避しやすくなる。更に、お客がチケットＴを使用後に回収されたチケットＴのＰＯＳ情報を利用した分析において、ＰＯＳ情報が確実に記録されているので、使用済チケットのサンプリング効率が向上する。
【０１０８】
本実施の形態では、紙幣型のチケットＴを例に説明したが、カード型のチケットに対しても適用できる。
【０１０９】
《変形例》
（第２の計数処理例の別の使用方法）
更に、第２の計数処理の例を用いて枚葉計数機３を分類機の機能としても容易に使用することができる。つまり、正常チケットＴと異常チケットＴ’に区別する考え方を、特定の券種別情報４２を記録されたＲＦＩＤタグ付きチケットＴと、それ以外の券種別情報４２を記録されたＲＦＩＤタグ付きチケットＴ’とに区別すると読み直して計数処理すれば良い。
このときＲＦＩＤタグＲ／Ｗ３５Ａ，３５Ｂと３５ＲＦＩＤタグ７と間の通信電波は、チケットＴを容易に通過するので、チケットＴの裏表をそろえる必要が無い。
（第１の変形例）
ＲＦＩＤタグＲ／Ｗ３５Ａ，３５Ｂのアンテナを搬送通路２９の幅方向の２箇所又は２箇所をカバーできる広さにして設けておけば、装填部２２に装填されたチケットＴのＲＦＩＤタグ７の位置が左右どちら側にあっても、チケットＴの左右方向をそろえる必要が無い。
【０１１０】
（第２の変形例）
また、本実施の形態では、真正識別情報である識別符号４１ａは、ＲＦＩＤタグ７製造時にＩＣチップ７ａに記録されるＲＦＩＤタグ識別情報４１の上の桁としたがそれに限定されるものではない。ＲＦＩＤタグ識別情報４１全体がシリアル番号である場合は、真正識別情報としてＲＦＩＤタグ識別情報４１全体とし、シリアル番号の内の所定の割り振られた番号のものであるか否かで真正なものか否かの判定をしても良い。また、券種別情報４２そのものを真正識別情報である識別符号４１ａとしても良い。
【０１１１】
（第３の変形例）
ちなみに、本実施の形態では計数センサＳ１，Ｓ２や検出センサＳ３〜Ｓ６を発光素子と受光素子の組み合わせの光センサとしたがそれに限定されるものではない。マイクロスイッチを使用したセンサでも良い。
更に、枚葉計数機３の計数部３３を計数センサＳ１，Ｓ２で構成する代わりに、それを削除して、検出センサＳ３，Ｓ４で構成しても良い。その場合、枚葉計数機３を搬送通路域２９ａ分だけ短くすることができる。
また、第１のＲＦＩＤタグＲ／Ｗ３５Ａと第２１のＲＦＩＤタグＲ／Ｗ３５Ｂを一つで兼用させても良い。そのときは、ＲＦＩＤタグ７とＲＦＩＤタグＲ／Ｗとの通信時間に配慮する必要がある。その手段として、搬送通路２９に配置するローラを駆動するモータＭ２をもステッピングモータとして、ＲＦＩＤタグＲ／Ｗの位置で、短時間チケットＴを一時停止させるようなローラの駆動制御をすると良い。
そのようにすると更に搬送通路２９を短くすることができ、枚葉計数機３を小型にすることができる。
【０１１２】
（第４の変形例）
また、３種以上の券種別が混じっているチケットＴの束を１度に特定された２種類の券種別のチケットＴ１、Ｔ２とそれ以外の券種別のチケットＴ’とに分類する枚葉計数機とすることも容易である。
その場合、第１及び第２の集積部２３、２４だけでなく、第１と同じ構成の第３の集積部を設ければ良い。このとき第２の分岐爪を前記した分岐爪３４ａの搬送通路２９の下流側に追加して、第２の分岐爪から第３の集積部までチケットＴを搬送する搬送通路を追加して、各分岐爪の直前に検出センサを用意して、その検出センサからの検出信号により分岐爪をそれぞれ駆動するタイミングを制御することにより実現できる。
【０１１３】
（第５の変形例）
また、チケットＴの販売において、顧客より注文のあった１種以上の券種別のチケットＴを販売員が手作業で取り揃えて、そのチケットＴの各券種別の枚数が間違いないことの確認のために券種別の混じったチケットＴの束にして装填部２２に重積し、読み取りを行い、次いで、券種別の読み取り結果を、図１１の販売枚数入力画面７０の注文枚数欄７８Ａ，７８Ｂ，・・・等に設定し、小計欄７９Ａ，７９Ｂ，・・・や合計欄８１を計算させることが容易にできる。そして、副表示部６ｂで販売額をお客に提示して、間違いなくお客の注文枚数の内訳通りであることをお客にも確認してもらうことができる。
【０１１４】
第１の変形例と組み合わせて前記のような構成とすると、回収チケットの券種別を表裏や左右を取り揃えることなく、ＲＦＩＤタグ情報を読み出すことにより容易に、真正か否か判別も含めて券種別の分類ができる。
従って、紙幣の識別のように、印刷パターンや色等により真正か否かの判別や、紙幣の種類を判別するために、表裏それぞれに対する識別判定情報を枚葉計数機の制御部に記憶させる必要が無く、識別判定の制御が簡単になる。また、ＲＦＩＤタグ７が付された紙幣に対しても適用できる。
【図面の簡単な説明】
【０１１５】
【図１】（ａ）は本発明の実施の形態に係わる販売端末装置を示す図であり、（ｂ）はＲＦＩＤ付きの紙幣型チケットの構成図である。
【図２】販売端末装置の構成図である。
【図３】チケットに付されたＲＦＩＤタグに記録されるＲＦＩＤタグ情報の例を説明する図である。
【図４】（ａ）は、本実施の形態における卓上設置型の枚葉計数機の内部構造を示す略示左側断面図であり、（ｂ）は同前面図である。図５は、制御回路の構成図である。
【図５】枚葉計数機の制御回路の構成図である。
【図６】端末本体における受け取りチケットの点検の計数処理の制御の流れを示すメインフローチャートである。
【図７】表示装置の主表示部に表示される操作画面を説明する図であり、（ａ）は計数チェックの設定画面を示す図であり、（ｂ）は計数結果を示す図である。
【図８】枚葉計数機における受け取りチケットの点検の計数処理の制御の流れを示すフローチャートである。
【図９】枚葉計数機における受け取りチケットの点検の計数処理の制御の流れを示すフローチャートである。
【図１０】端末本体における販売チケットの計数処理の制御の流れを示すメインフローチャートである。
【図１１】表示装置の主表示部に表示される販売枚数入力画面を示す図である。
【図１２】表示装置の主表示部に表示される発券明細画面を示す図である。
【図１３】枚葉計数機における販売チケットの計数処理の制御の流れを示すフローチャートである。
【図１４】枚葉計数機における販売チケットの計数処理の制御の流れを示すフローチャートである。
【図１５】枚葉計数機における販売チケットの計数処理の制御の流れを示すフローチャートである。
【図１６】発券情報画面を説明する図である。
【図１７】エラー情報画面を説明する図である。
【符号の説明】
【０１１６】
１      販売端末装置
２      ネットワーク
３      枚葉計数機
３ａ    前面
３ｂ    背面
４      入力装置
５      端末本体
５ａ    ＣＰＵ
５ｂ    バス
５ｃ    ＲＯＭ
５ｄ    ＲＡＭ
５ｅ    記憶部
５ｆ    通信部
５ｈ    ネットワーク通信部
６      表示装置
６ａ    主表示部
６ｂ    副表示部
７      ＲＦＩＤタグ
８      プリンタ
９      サーバ
２１    操作部
２２    装填部
２２ａ  ガイド板
２２ｂ  マーカ
２３    第１の集積部
２３ｄ  枠体
２４    第２の集積部
２５ａ，２５ｂ  表示部（表示部）
２６    繰り出し機構
２７    ゲート部
２８    搬送ローラ
２９ａ〜２９ｆ  搬送通路域（搬送通路）
３１    制御部
３２    通信部
３３    計数部
３４    分岐部
３４ａ  分岐爪
３５Ａ  第１のＲＦＩＤタグＲ／Ｗ（タグ・リーダ、通信手段）
３５Ｂ  第２のＲＦＩＤタグＲ／Ｗ（タグ・リーダ、通信手段）
３７    移動機構
４０    ＲＦＩＤタグ情報
４１    ＲＦＩＤタグ識別情報
４１ａ  識別符号（真正識別情報）
４１ｂ  シリアル番号
４２    券種別情報
４３    ＰＯＳ情報
４３ａ  販売店情報
４３ｂ  販売日時情報
５０    設定画面
６０    計数結果表示画面
７０    販売枚数入力画面
９５    発券情報画面
１００  エラー情報画面
Ｍ１    ステッピングモータ
Ｍ２    モータ
Ｓ１ａ，Ｓ２ａ  発光素子（計数センサ）
Ｓ１ｂ，Ｓ２ｂ  受光素子（計数センサ）
Ｓ３ａ，Ｓ４ａ，Ｓ５ａ，Ｓ６ａ  発光素子（検出センサ）
Ｓ３ｂ，Ｓ４ｂ，Ｓ５ｂ，Ｓ６ｂ  受光素子（検出センサ）
ＳＤ１、ＳＤ２  ソレノイド
Ｔ      チケット（紙葉類）
Ｔ’    異常チケット（異常紙葉類）
【図１】
2009042953.tif 000003
【図２】
2009042953.tif 000004
【図３】
2009042953.tif 000005
【図４】
2009042953.tif 000006
【図５】
2009042953.tif 000007
【図６】
2009042953.tif 000008
【図７】
2009042953.tif 000009
【図８】
2009042953.tif 000010
【図９】
2009042953.tif 000011
【図１０】
2009042953.tif 000012
【図１１】
2009042953.tif 000013
【図１２】
2009042953.tif 000014
【図１３】
2009042953.tif 000015
【図１４】
2009042953.tif 000016
【図１５】
2009042953.tif 000017
【図１６】
2009042953.tif 000018
【図１７】
2009042953.tif 000019